(57)【要約】【課題】リフレクタ自体の強度をあまり高いものとせず軽量化できるとともに、荷重を掛けてもリフレクタ部分が撓んで破損しにくい間接照明器具および間接照明器具を備えた安全性の高い浴室ユニットを提供することを目的としている。【解決手段】リフレクタを間接照明として蛍光管の直接光を遮る反射位置と、蛍光管を交換する際の蛍光管交換位置とが、位置変更可能となるようにヒンジを介して壁面に支持するとともに、リフレクタの上縁側の中間位置に壁面と対向するように係止金具を設け、リフレクタを蛍光管交換位置から反射位置に回転させたときに、回転途中で前記係止金具の係合部に設けられた貫通孔に入り込み、係合部を受け位置までガイドするガイド部を備えている受け金具にリフレクタを受けさせる構造とした。【選択図】      図４
2008243407.tif 000002
【特許請求の範囲】
【請求項１】
棒状の蛍光管を有し、この蛍光管の長手方向が水平方向をなして壁面に取り付けられる照明器具本体と、
前記蛍光管に平行に配置され、蛍光管の中心軸に平行な軸を中心に回転し、間接照明として蛍光管の直接光を遮る反射位置と、蛍光管を交換する際の蛍光管交換位置とが、位置変更可能となるようにヒンジを介して支持されたリフレクタと、
リフレクタの上縁側の中間位置に壁面と対向するように固定される係止金具と、
壁面に固定されるとともに、前記リフレクタが蛍光管の直接光を遮る反射位置に来たときに前記係止金具を係止して、リフレクタにかかる荷重を受ける受け金具と、
を備える間接照明器具であって、
前記係止金具が、リフレクタ本体に固定される固定部と、固定部から壁面側に延出するとともに貫通孔を有する係合部とを備え、
前記受け金具が、リフレクタを蛍光管交換位置から蛍光管の直接光を遮る反射位置に回転させたときに、回転途中で前記貫通孔に入り込み、係合部を受け位置までガイドするガイド部を備えていることを特徴とする間接照明器具。
【請求項２】
受け金具のガイド部が、壁面固定状態で直線状に立ち上がる立上ガイド部と、この立上ガイド部の上端から壁面方向斜め上方に折れ曲がる折曲ガイド部とを備えている請求項１に記載の間接照明器具。
【請求項３】
リフレクタが、長手方向に連続する中空部を有する樹脂製のリフレクタ本体と、このリフレクタ本体の前記中空部に挿入されて前記リフレクタ本体を補強する軽量金属材料製の補強材とを備えている請求項１または請求項２に記載の間接照明器具。
【請求項４】
請求項１〜請求項３のいずれかに記載の間接照明器具が壁面に取り付けられていることを特徴とする浴室ユニット。
【発明の詳細な説明】
【技術分野】
【０００１】
本発明は、間接照明器具およびこの間接照明器具を備えた浴室ユニットに関する。
【背景技術】
【０００２】
間接照明は、白熱電球や蛍光管などの光源から出た光を壁面等に一度当てて、そのやわらかい反射光でまわりを照らすことによって全体的に柔らかな印象を与えることができ、リラックス効果があるといわれ、電車の車両内の照明や住宅の居間等の寛ぎ空間に用いられている（特許文献１、特許文献２等参照）。
【０００３】
このような従来の間接照明器具は、リフレクタ(反射板)あるいは照明器具本体を覆うカバーが白熱電球や蛍光管の前面に設けられ、ビス等で壁面や照明器具本体に固定されている。
したがって、白熱電球や蛍光管を交換する場合、ビスによる固定を解除して上記のようなリフレクタやカバー等の固定を取り除き、白熱電球や蛍光管を交換したのち、再びリフレクタやカバー等をビスで固定しなければならず、非常に面倒である。
【０００４】
そこで、本発明の発明者は、棒状の蛍光管を有し、この蛍光管の長手方向を水平方向に向けて壁面に取り付けられる照明器具本体と、前記蛍光管に平行に配置され、反射面を壁側に向けて設けられるリフレクタとを備えた間接照明器具において、リフレクタを、ヒンジを介して蛍光管の中心軸に平行な軸を中心に回転して、蛍光管の直接光を遮る反射位置と、蛍光管の交換可能位置との位置変更可能な構造とすれば、簡単に蛍光管の交換ができると考えた。
【０００５】
ところで、間接照明器具を浴室壁面の高所に取り付けた場合、椅子、脚立、洗面カウンターや浴槽の框部分などの上に立って蛍光管の交換を行なわなければならないが、洗面カウンターや浴槽の框部分などは足を置く場所が狭いので、バランスをくずしやすく、バランスを崩して咄嗟に手でリフレクタを掴んで体を支えることが考えられる。
【０００６】
しかし、上記のような構造の間接照明器具の場合、長尺のものにおいては、リフレクタに手をかけて体重を支えた場合、リフレクタが撓んで変形したり、破損、脱落したりする等、危険であることがわかった。
そこで、リフレクタの材質を撓みにくい、剛性体で構成することが考えられるが、重量が大きくなり、ヒンジ部分等の強度も高いものとしなければならず、コストが掛かりすぎるという問題が発生する。
【０００７】
【特許文献１】実開平5-65678号公報
【特許文献２】特開2004-349165号公報
【発明の開示】
【発明が解決しようとする課題】
【０００８】
本発明は、上記事情に鑑みて、リフレクタ自体の強度をあまり高いものとせず軽量化できるとともに、荷重を掛けてもリフレクタ部分が撓んで破損しにくい間接照明器具および間接照明器具を備えた安全性の高い浴室ユニットを提供することを目的としている。
【課題を解決するための手段】
【０００９】
上記目的を達成するために、本発明にかかる請求項１に記載の間接照明器具(以下、「請求項１の間接照明器具」と記す)は、棒状の蛍光管を有し、この蛍光管の長手方向が水平方向をなして壁面に取り付けられる照明器具本体と、前記蛍光管に平行に配置され、蛍光管の中心軸に平行な軸を中心に回転し、間接照明として蛍光管の直接光を遮る反射位置と、蛍光管を交換する際の蛍光管交換位置とが、位置変更可能となるようにヒンジを介して支持されたリフレクタと、リフレクタの上縁側の中間位置に壁面と対向するように固定される係止金具と、壁面に固定されるとともに、前記リフレクタが蛍光管の直接光を遮る反射位置に来たときに前記係止金具を係止して、リフレクタにかかる荷重を受ける受け金具と、を備える間接照明器具であって、前記係止金具が、リフレクタ本体に固定される固定部と、固定部から壁面側に延出するとともに貫通孔を有する係合部とを備え、前記受け金具が、リフレクタを蛍光管交換位置から蛍光管の直接光を遮る反射位置に回転させたときに、回転途中で前記貫通孔に入り込み、係合部を受け位置までガイドするガイド部を備えていることを特徴としている。
【００１０】
本発明にかかる請求項２に記載の間接照明器具(以下、「請求項２の照明器具」と記す)は、請求項１の間接照明器具において、受け金具のガイド部が、壁面固定状態で直線状に立ち上がる立上ガイド部と、この立上ガイド部の上端から壁面方向斜め上方に折れ曲がる折曲ガイド部とを備えていることを特徴としている。
【００１１】
本発明にかかる請求項３に記載の間接照明器具(以下、「請求項３の間接照明器具」と記す)は、請求項１または請求項２の間接照明器具において、リフレクタが、長手方向に連続する中空部を有する樹脂製のリフレクタ本体と、このリフレクタ本体の前記中空部に挿入されて前記リフレクタ本体を補強する軽量金属材料製の補強材とを備えていることを特徴としている。
【００１２】
本発明にかかる浴室ユニットは、本発明の間接照明器具が壁面に取り付けられていることを特徴としている。
【００１３】
本発明において、リフレクタは、特に限定されないが、ポリエステル、ポリカーボネート、ポリメタクリレート等の合成樹脂成形品からなるリフレクタ本体と、このリフレクタ本体をアルミニウムやその合金等の軽量金属製の補強材によって補強したものが好ましい。
また、補強材の取り付け方法としては、特に限定されないが、安全性を考慮すれば、請求項３のように、リフレクタ本体に長手方向に連続する中空部を設け、この中空部に挿入した状態で補強材をリフレクタ本体に固定し、補強材が外部にできるだけ露出しない構造とすることが好ましい。
【００１４】
上記受け金具および係止金具の材質としては、リフレクタにかかる荷重に耐えることができれば、特に限定されないが、たとえば、ステンレス鋼やクロムメッキ鋼等の板材を折り曲げ加工等したものが好ましい。
【発明の効果】
【００１５】
本発明にかかる請求項１の間接照明器具は、棒状の蛍光管を有し、この蛍光管の長手方向が水平方向をなして壁面に取り付けられる照明器具本体と、前記蛍光管に平行に配置され、蛍光管の中心軸に平行な軸を中心に回転し、間接照明として蛍光管の直接光を遮る反射位置と、蛍光管を交換する際の蛍光管交換位置とが、位置変更可能となるようにヒンジを介して支持されたリフレクタと、リフレクタの上縁側の中間位置に壁面と対向するように固定される係止金具と、壁面に固定されるとともに、前記リフレクタが蛍光管の直接光を遮る反射位置に来たときに前記係止金具を係止して、リフレクタにかかる荷重を受ける受け金具と、を備える間接照明器具であって、前記係止金具が、リフレクタ本体に固定される固定部と、固定部から壁面側に延出するとともに貫通孔を有する係合部とを備え、前記受け金具が、リフレクタを蛍光管交換位置から蛍光管の直接光を遮る反射位置に回転させたときに、回転途中で前記貫通孔に入り込み、係合部を受け位置までガイドするガイド部を備えているので、リフレクタにかかる荷重が係止金具および受け金具を介して壁面に受けられ、リフレクタに荷重がかかってもリフレクタが撓んで破損したり、落下したりする事故を防止できる。しかも、係止金具が、ガイド部によって、交換可能位置から反射位置までリフレクタを回転させるだけで、容易かつ確実に受け金具に係合される。したがって、リフレクタ自体の強度をあまり高いものとせず軽量化できる。
【００１６】
請求項２の間接照明器具のように、受け金具のガイド部が、壁面固定状態で直線状に立ち上がる立上ガイド部と、この立上ガイド部の上端から壁面方向斜め上方に折れ曲がる折曲部とを備えているようにすれば、折曲ガイド部の先端がリフレクタに取り付けられた係止金具の貫通孔の回転軌跡上に配置されるように受け金具を壁面に固定することによって、リフレクタを蛍光管交換位置から反射位置に回転させる際に折曲ガイド部先端がスムーズに貫通孔に入り込む。一方、立上ガイド部が貫通孔の回転軌跡より回転軌跡の中心方向に入り込んで配置されるため、さらに回転させていくと、貫通孔の周壁面が一旦立上ガイド部に当たり、リフレクタの長手方向中央部が回転軌跡の中心方向に弾性変形する。そして、リフレクタがさらに反射位置まで回転させられて、係合部が受け金具の受け位置に受けられる。
したがって、たとえば、リフレクタに頭等があたり、リフレクタが少し跳ね上がったぐらいでは、リフレクタが交換位置までは跳ね上がらず、元の反射位置まで戻る。すなわち、立上ガイド部によって、リフレクタの長手方向の中間部が内側に撓む事による負荷がかかり、立上ガイド部を乗り越えて係止金具が上方へ跳ね上がることが防止される。すなわち、リフレクタを反射位置での安定性した状態に保持することができる。
【００１７】
また、請求項３の間接照明器具のように、リフレクタが、長手方向に連続する中空部を有する樹脂製のリフレクタ本体と、このリフレクタ本体の前記中空部に挿入されて前記リフレクタ本体を補強する軽量金属材料製の補強材とを備えている構成とすれば、リフレクタを軽量にすることができるとともに、補強材が外部に露出していないので、補強材によって手を怪我するといった事故がなくなる。
【００１８】
本発明の浴室ユニットは、上記本発明の間接照明器具が壁面に取り付けられているので、浴室内を柔らかい光で照明し、寛ぎ空間とすることができるとともに、蛍光管の交換作業等を安全に行なえるようになる。
【発明を実施するための最良の形態】
【００１９】
以下に、本発明を、その実施の形態をあらわす図面を参照しつつ詳しく説明する。
図１〜図８は本発明にかかる間接照明器具が取り付けられた浴室ユニットの１つの実施の形態をあらわしている。
【００２０】
図１に示すように、この浴室ユニットＢは、１つの壁面Ｗの天井Ｔ近傍に間接照明器具１が取り付けられている。
間接照明器具１は、図２および図３に示すように、照明器具本体２と、リフレクタ３と、係止金具４と、受け金具５と、ヒンジとなる支持アーム６と、化粧部材７とを備えている。
【００２１】
照明器具本体２は、棒状をした蛍光管Ｌが装着されるとともに、図４及び図５に示すように、この蛍光管Ｌに給電する給電部(図示せず)が内蔵され、蛍光管Ｌの長手方向が水平となるように、壁面ＷにビスＳで固定されている。
【００２２】
リフレクタ３は、図４〜図７に示すように、リフレクタ本体３１と、側面カバー３２と、２つの補強材３３とを備えている。
リフレクタ本体３１は、押出成形によって形成された長手方向に連続する2条の中空部３１ａを備えている。
【００２３】
補強材３３は、アルミニウム等の軽量金属で形成された板材を断面へ字形に折り曲げた形状をしていて、中空部３１ａのほぼ全長にわたって、中空部３１ａ内に挿入され、リフレクタ本体３１の反射面３ａ側に沿った状態で一部がリフレクタ本体３１にビス止めされている。
側面カバー３２は、リフレクタ本体３１と同じ樹脂によって成形されていて、リフレクタ本体３１長手方向両端に外嵌されて中空部３１ａの開口端を塞いだ状態でリフレクタ本体３１にビス止めされている。
【００２４】
係止金具４は、図３〜図５、図７、図９および図１０に示すように、ステンレス鋼板を打ち抜きおよび折り曲げ加工することによって形成されていて、固定部４ａと、係合部４ｂとを備え、リフレクタ３の長手方向の中央部で、固定部４ａがリフレクタ本体３１の反射面３ａ越しに補強材３３にビス固定されている。
また、係合部４ｂは、中心軸を挟んで長方形をした２つの貫通孔４３が左右対称に穿設されているとともに、固定部４ａから一旦垂直に立ち上がったのち、この立ち上がり部先端から固定部４ａとは逆側に鈍角をなすように屈曲する屈曲部４４を備えている。
なお、係止金具４の各部の寸法は、特に限定されないが、たとえば、この実施形態のものの場合、図１０に示す寸法となっている。
【００２５】
受け金具５は、図２〜図５および図１１、図１２に示すように、ステンレス鋼板を打ち抜きおよび折り曲げ加工することによって形成されていて、壁面固定部５１と、壁面固定部５１の一端で垂直に折れ曲がった水平部５２と、この水平部５２の先端で壁面固定部５１の逆側に折れ曲がって形成された傾斜部５３とを有する断面略へ字形をした受け本体部５ａと、受け本体部５ａの先端で壁面固定部５１と平行に折れ曲がる直線状をした立上ガイド部５４とこの立上ガイド部５４の先端から壁面固定部５１方向に傾斜部５３と略平行に折れ曲がる折曲ガイド部５５とを有するガイド部５ｂとを備えている。
【００２６】
そして、この受け金具５は、図４に示すように、壁面固定部５１の開放端がわを上にするとともに、折曲ガイド部５５の先端が係止金具４の貫通孔４３の回転軌跡Ｒ（図４で点線で示す）上に配置されるように、浴室の壁面ＷにビスＳで固定されるようになっている。
なお、受け金具５の各部の寸法は、特に限定されないが、たとえば、この実施形態のものの場合、図１２に示す寸法となっている。
【００２７】
支持アーム６は、図８に示すように、アーム本体部６ａと、このアーム本体部６ａに枢支された回転部６ｂとを備えている。
アーム本体部６ａは、ステンレス鋼板を打ち抜きおよび折り曲げ加工することによって形成されていて、壁面固定部６１とこの壁面固定部６１の一端から直角に立ち上がるように設けられた軸受け部６２とを備えている。
【００２８】
軸受け部６２は、軸６３と同心円をなす１２０度の円弧状のガイド孔６４が穿設されている。
回転部６ｂは、ステンレス鋼板を打ち抜きおよび折り曲げ加工することによって形成されていて、リフレクタ３に固定されるリフレクタ固定部６５と、このリフレクタ固定部６５の一端から直角に折れ曲がるように形成される枢支部６６とを備えている。
【００２９】
枢支部６６は、ガイドピン６６ａとストッパ６６ｂとを備え、ガイドピン６６ａがガイド孔６４に沿ってスライド自在に嵌り込んだ状態で軸受け部６２に軸支されて、ガイドピン６６ａがガイド孔６４の端部壁面に当たるとともに、ストッパ６６ｂが軸受け部６２の周壁の一部に当たるまでの間で軸６３を中心に回転するようになっている。
【００３０】
化粧部材７は、図４及び図５に示すように、樹脂押出成形品であって、長手方向の寸法がリフレクタ３の長手方向寸法とほぼ同じになっていて、壁面固定部７１と、化粧部７２とを備えている。
化粧部７２は、連結部７３を介して壁面固定部７１と連結されていて、壁面固定部７１が壁面Ｗに固定された状態で化粧面が床面に対して下向きほぼ４５度の角度をなすように配置される。
【００３１】
この間接照明器具１は、照明器具本体２を壁面Ｗに取り付けるとともに、リフレクタ３を２つの支持アーム６によって、図５に示すように、リフレクタ３の反射面３ａが床面と対面する蛍光管Ｌの交換位置と、交換位置から床面側（下方）に回転させて、図４に示すように、照明器具本体２に支持された蛍光管Ｌが室内側から直接見えず、反射面３ａが天井Ｔと壁面Ｗとのコーナー部を向いて反射面３ａと天井Ｔとのなす角度がほぼ４５度となる反射位置との間を回転するように壁面Ｗに取り付ける。
【００３２】
また、このとき、受け金具５を、リフレクタ３が蛍光管Ｌの交換位置から反射位置まで回転する途中で、図１３（ａ）に示すように、リフレクタ３が天井Ｔ側に撓んでも係止金具４の屈曲部４４の先端部と受け金具５の傾斜ガイド部５３の先端部とが当接するとともに、ガイド部５ｂがいずれか一方の貫通孔４３に嵌り込むように壁面Ｗに固定する。
そして、化粧部材７をリフレクタ３が反射位置まで来た状態で、リフレクタ３と化粧部７２とによって、室内側から照明器具本体２が見えなくなる位置に固定する。
【００３３】
この間接照明器具１は、以上のようになっており、蛍光管Ｌは、図５に示すように、リフレクタ３を蛍光管Ｌの交換位置まで天井Ｔ側に回転させて照明器具本体２を室内側から見えるようにして簡単に交換することができる。
また、交換が終われば、図４に示すように、リフレクタ３を反射位置まで床面側に回転させれば、元の間接照明を行うことができるようになる。
【００３４】
そして、リフレクタ３は、反射位置で、その中央部が受け金具５に係止金具４が係止されてリフレクタ３の中央部でリフレクタ３に上方からかかる荷重が、係止金具４、受け金具５を介して壁面Ｗに受けられるようになっている。
したがって、蛍光管Ｌの交換などメンテナンス時に体勢を崩し、リフレクタ３を掴んでしまっても、リフレクタ３が大きく撓んだり、破損したりすることがなく、安全である。
【００３５】
さらに、交換位置から反射位置にリフレクタ３を戻す際にリフレクタ３が天井側に撓んだ状態となっても、受け金具５の折曲ガイド部５５の先端部と係止金具４側に屈曲部４４の先端部とが当接するので、折曲ガイド部５５および屈曲部４４の傾斜によって互いに引き寄せ合って受け金具５のガイド部５ｂがうまく貫通孔４３へと導かれ、所定の係合状態が得られる。勿論、図１３（ｂ）のように、リフレクタ３が蛍光管Ｌ側に撓んでも受け金具５のガイド部５ｂがうまく貫通孔４３へと導かれ、所定の係合状態が得られる。
【００３６】
しかも、この間接照明器具１は、補強材３３がリフレクタ本体３１内に収容されているので、アングル等の補強材をリフレクタ本体３１の外壁面に取り付けたものに比べ、意匠性がよいとともに、安全である。
すなわち、補強材をリフレクタ本体３１の外壁面に取り付けた場合、リフレクタ３を回転させる際に補強材に手が触れて、手を傷つけたりする恐れがあるが、この間接照明器具１の場合、補強材３３が直接手に触れることがなく安全である。
【００３７】
また、係止金具４が２つの貫通孔４３を、中心軸を挟んで左右対称に備えているので、仕様の異なる浴室ユニットにも使用できる。すなわち、支持アーム６や受け金具５は、壁パネルを支持する支柱（スタッド）に通常ビス止めされるが、仕様が異なると、支柱の位置や支柱間のピッチが異なる。しかし、受け金具５の取り付け位置は、中央部であるので、左右に位置を振ることができず、リフレクタ３を左右に振って固定しなければならない。したがって、２つの貫通孔４３を設けることによって、リフレクタ３を左右いずれに振って取り付けても受け金具５がいずれかの貫通孔４３に係合できて、汎用性が高くなるようにしている。
【００３８】
さらに、受け金具５が、壁面固定状態で直線状に立ち上がる立上ガイド部５４と、この立上ガイド部５４の上端から壁面方向斜め上方に折れ曲がる折曲ガイド部５５とを備えているので、スムーズに係止金具を受け位置までガイドできる。また、貫通孔４３に立上ガイド部５４が入り込むと、立上ガイド部５４が貫通孔４３の回転軌跡より回転軌跡の中心方向に入り込んで配置されるため、さらに回転させていくと、貫通孔４３の周壁面が一旦立上ガイド部５４に当たり、リフレクタ３の長手方向中央部が回転軌跡の中心方向に入り込むように弾性変形する。そして、リフレクタ３がさらに反射位置まで回転させられて、リフレクタ３が元の状態に弾性復元して係合部４ｂが受け金具５の受け位置に受けられる。
したがって、たとえば、リフレクタ３に頭等があたり、リフレクタ３が少し跳ね上がったぐらいでは、リフレクタ３が交換位置までは跳ね上がらず、元の反射位置まで戻る。すなわち、立上ガイド部５４によって、リフレクタ３の長手方向の中間部が内側に撓むので、リフレクタ３の弾性復元力によって貫通孔４３の周壁の一部が立上ガイド部５４に圧接されたようになり、立上ガイド部５４を乗り越えて係止金具４が上方へ跳ね上がることが防止される。すなわち、リフレクタ３を反射位置での安定性した状態に保持することができる。
【００３９】
本発明は、上記の実施の形態に限定されない。たとえば、上記の実施の形態では、係止金具の貫通孔が２つであったが、１つでも構わない。
また、上記の実施の形態では、係止金具がリフレクタの長手方向中央の１箇所に設けられていたが、所定の間隔をあけて係止金具およびこの係止金具に対応する受け金具を２箇所以上に設けるようにしても構わない。
【００４０】
さらに、上記の実施の形態では、浴室に用いられていたが、浴室以外の室内壁にも取り付けても構わない。また、取り付け場所が浴室などの多湿な場所以外の場合、照明器具本体の防水構造は必要がない。
また、上記の実施の形態では、立上ガイド部が壁面に平行となるようになっていたが、平行でなくても構わない。さらに、折曲ガイド部は、貫通孔の回転軌跡に沿うように湾曲していても構わない。
【図面の簡単な説明】
【００４１】
【図１】本発明にかかる間接照明器具が取り付けられた浴室ユニットの１例を示す斜視図である。
【図２】図１の間接照明器具の斜視図である。
【図３】図１の間接照明器具の要部斜視図である。
【図４】図１の間接照明器具のリフレクタを反射位置にした状態の浴室ユニットの断面図である
【図５】図１の間接照明器具のリフレクタを蛍光管の交換位置にした状態の浴室ユニットの断面図である
【図６】図１の間接照明器具のリフレクタを反射面側からみた平面図である。
【図７】図６のＸ−Ｘ線断面図である。
【図８】図１の間接照明器具のリフレクタを蛍光管の交換位置にしたときの支持アーム部分の斜視図である。
【図９】係止金具の斜視図である。
【図１０】図９の係止金具の断面図である。
【図１１】受け金具の斜視図である。
【図１２】図１１の受け金具の断面図である。
【図１３】係止金具と受け金具との係止状態を説明する図であって、同図（ａ）はリフレクタが天井側に撓んだときの状態、同図（ｂ）はリフレクタが蛍光管側に撓んだときの状態をそれぞれあらわす。
【符号の説明】
【００４２】
Ｂ  浴室ユニット。
Ｌ  蛍光管
Ｗ  壁面
１  間接照明器具
２  照明器具本体
３  リフレクタ
３１  リフレクタ本体
３１ａ  中空部
３３  補強材
４  係止金具
４ａ  固定部
４ｂ  係合部
４３  貫通孔
４４  屈曲部
５  受け金具
５ｂ  ガイド部
５４  立上ガイド部
５５  折曲ガイド部
６  支持アーム（ヒンジ）
【図１】
2008243407.tif 000003
【図２】
2008243407.tif 000004
【図３】
2008243407.tif 000005
【図４】
2008243407.tif 000006
【図５】
2008243407.tif 000007
【図６】
2008243407.tif 000008
【図７】
2008243407.tif 000009
【図８】
2008243407.tif 000010
【図９】
2008243407.tif 000011
【図１０】
2008243407.tif 000012
【図１１】
2008243407.tif 000013
【図１２】
2008243407.tif 000014
【図１３】
2008243407.tif 000015